(57)【特許請求の範囲】
【請求項１】
表示パネルと、
前記表示パネルを保持する第１の保持部材と、
操作部材と、
前記操作部材を保持する第２の保持部材と、
前記第１の保持部材および前記第２の保持部材が固定される外装部材と、を備える電子機器であって、
前記第１の保持部材は、前記表示パネルを保持する保持部と第１の締結部と第２の締結部とを有し、
前記第２の保持部材は、前記第１の保持部材と前記外装部材との間に配置され、
前記第１の締結部および前記第２の締結部は、前記第２の保持部材とともに前記外装部材に締結され、
前記第２の締結部には、前記第１の保持部材の変位を吸収する変位吸収部が形成され、
前記第２の保持部材は、前記第１の保持部材の変形を防止する補強部を有し、
前記第２の締結部は、前記補強部と重なる部分と前記第１の締結部との間に配置されていることを特徴とする電子機器。
【請求項２】
前記変位吸収部は、前記保持部と前記第２の締結部との間に一体で形成されていることを特徴とする請求項１に記載の電子機器。
【請求項３】
前記変位吸収部は、前記保持部と前記第２の締結部とを繋ぐ板状に形成され、前記変位吸収部の板幅が前記第２の締結部の外形よりも小さいことを特徴とする請求項１または２に記載の電子機器。
【請求項４】
前記第１の保持部材は、前記外装部材に固定される第３の締結部を有し、
前記表示パネルはフレキシブル基板を有し、
前記第１の保持部材には、前記フレキシブル基板を引き出す引き出し部が形成され、
前記引き出し部は、前記第３の締結部と前記第２の締結部との間に形成されていることを特徴とする請求項１ないし３の何れか１項に記載の電子機器。
【発明の詳細な説明】
【技術分野】
【０００１】
本発明は、表示パネルを備えた電子機器に関する。
【背景技術】
【０００２】
従来から、カメラ、ビデオカメラ、携帯電話等の電子機器に液晶表示パネルを備えたものが広く用いられている。液晶表示パネルは、２枚の透明基板の間に液晶層を有している。この液晶層に外部から何らかの力が加わった場合、液晶表示パネルの表示面に色むら等が発生してしまうという問題がある。
したがって、このような外力から液晶表示パネルを保護する必要がある。例えば、特許文献１には、液晶表示パネルの外圧に対する強度を向上させた保持構成として、液晶表示パネルと平行な位置に保護板を設けた電子機器が開示されている。
【先行技術文献】
【特許文献】
【０００３】
【特許文献１】特開２００８−２０３８２９号公報
【発明の概要】
【発明が解決しようとする課題】
【０００４】
しかしながら、特許文献１に開示された電子機器の構成では、液晶表示パネルの他に保持枠と保護板が別々に必要であり、部品点数が多くなり複雑である。また、液晶表示パネルがある一定以上変形してから保護板の機能が有効になる構成であるために、液晶表示パネルの初期の変形を抑えることは困難である。
本発明は、上述したような問題点に鑑みてなされたものであり、少ない部品構成で表示パネルの変形を抑制させて、表示パネルの表示面に色むらが発生させることを防止することを目的とする。
【課題を解決するための手段】
【０００５】
本発明に係る電子機器は、表示パネルと、前記表示パネルを保持する第１の保持部材と、操作部材と、前記操作部材を保持する第２の保持部材と、前記第１の保持部材および前記第２の保持部材が固定される外装部材と、を備える電子機器であって、前記第１の保持部材は、前記表示パネルを保持する保持部と第１の締結部と第２の締結部とを有し、前記第２の保持部材は、前記第１の保持部材と前記外装部材との間に配置され、前記第１の締結部および前記第２の締結部は、前記第２の保持部材とともに前記外装部材に締結され、前記第２の締結部には、前記第１の保持部材の変位を吸収する変位吸収部が形成され、前記第２の保持部材は、前記第１の保持部材の変形を防止する補強部を有し、前記第２の締結部は、前記補強部と重なる部分と前記第１の締結部との間に配置されていることを特徴とする。
【発明の効果】
【０００６】
本発明によれば、少ない部品構成で表示パネルの変形を抑制させて、表示パネルの表示面に色むらが発生することを防止することができる。
【図面の簡単な説明】
【０００７】
【図１】本実施形態に係るカメラの外観を示す斜視図である。
【図２】本実施形態に係るバックカバーユニットの構成を示す図である。
【図３】本実施形態に係るＴＦＴモジュールがＴＦＴホルダに固定されている状態を示す図である。
【図４】本実施形態に係るＴＦＴホルダを示す斜視図である。
【図５】本実施形態に係る変位吸収部の一例を示す図である。
【図６】本実施形態に係るスイッチホルダを示す斜視図である。
【発明を実施するための形態】
【０００８】
以下、本発明に係る実施形態について図面を参照して説明する。なお、本実施形態では、表示パネルを備えた電子機器としてデジタル一眼レフカメラ（以下、カメラという）を取り上げて説明する。各図では、必要に応じてカメラの撮影方向を前方としてＦｒで示し、その反対方向を後方としてＲｒで示し、撮影方向に対して右側をＲで示し、左側をＬで示している。
【０００９】
図１は、本実施形態に係るカメラの外観を示す斜視図である。図１（ａ）は、後方（背面側）から見た斜視図であり、図１（ｂ）は、前方（前面側）から見た斜視図である。
図１に示すように、カメラ１は、バックカバーユニット１００、トップカバーユニット１０１、フロントカバーユニット１０２等を含んで構成されている。バックカバーユニット１００には、後述する各種操作スイッチ、表示パネルとしてのＴＦＴ表示パネル１４０が搭載されている。使用者は、各種操作スイッチおよびＴＦＴ表示パネル１４０を用いて、撮影条件の変更や撮影画像の確認や編集を行うことができる。
【００１０】
トップカバーユニット１０１には、電源スイッチ、モードダイヤル、電子ダイヤル、レリーズボタン、内蔵ストロボが配設され、電源スイッチのオンオフ、撮影シーンの選択、撮影条件の設定、レリーズ等の操作を行うことができる。フロントカバーユニット１０２は、レンズマウント側を覆う外装ユニットであり、グリップ部が形成されていると共に、絞り込みボタン、ストロボポップアップボタンが配設されている。
【００１１】
図２は、バックカバーユニットの構成を示す図である。図２（ａ）は、バックカバーユニット１００を後方から見た図であり、図２（ｂ）は、バックカバーユニット１００を前方から見た図である。
バックカバーユニット１００は、外装ケースとしてのバックカバー１２１によって外観が整えられている。また、図２（ａ）に示すように、バックカバーユニット１００には、メニューボタン１１０、ディスプボタン１１１、ＡＶボタン１１２、クイック設定ボタン兼、ダイレクトプリントボタン１１３、再生ボタン１１４、ゴミ箱ボタン１１５が設けられている。さらに、バックカバー１２１には、セットボタン１１６、十字ボタン上１１７、十字ボタン左１１８、十字ボタン下１１９、十字ボタン右１２０が設けられている。これら操作スイッチは、バックカバー１２１から露出するように配設されている。
【００１２】
図２（ｂ）に示すように、バックカバーユニット１００には、ＴＦＴ表示パネル１４０の前方（ＴＦＴ表示パネル１４０の表示面側と反対方向）に、保持部材としてのＴＦＴホルダ１２３が配設されている。ＴＦＴホルダ１２３は、ＴＦＴ表示パネル１４０を含む後述するＴＦＴモジュール１２２を保持する。なお、図２（ｂ）では、ＴＦＴホルダ１２３に形成された矩形状の開口部からＴＦＴモジュール１２２の一部が現れている。また、ＴＦＴホルダ１２３は、バックカバー１２１に対して、４箇所でビス締め固定されている。
【００１３】
ＴＦＴモジュール１２２は、ＴＦＴ表示パネル１４０、図示しない導光板、バックライト、樹脂パッケージ、金属パッケージ、ＴＦＴ表示パネル１４０とカメラ本体との電気的接続を行うフレキシブル基板１４１等を含んで構成されている。また、本実施形態のＴＦＴモジュール１２２では、カメラ１の底面部側にフレキシブル基板１４１の引出し部が設けられている。すなわち、ＴＦＴモジュール１２２の金属パッケージの底面部側が、フレキシブル基板１４１を引出すために切り欠かれた形状になっている。したがって、ＴＦＴモジュール１２２の底面部側は、他の部位に比べて剛性が低い。なお、フレキシブル基板１４１は、ＴＦＴモジュール１２２からＴＦＴホルダ１２３の下端の引出し部位１２４ａ（図４を参照）を跨ぐことで、ＴＦＴホルダ１２３の後方から前方に引き出され、カメラ本体に接続される。
【００１４】
また、バックカバーユニット１００には、スイッチ保持部材としてのスイッチホルダ１３０、スピーカホルダ１３３、ディスプレイオフセンサーホルダ１３４（以降、ＤＯＳホルダという）が配設されている。スイッチホルダ１３０は、各種操作スイッチを保持する。また、スピーカホルダ１３３は、図示しないスピーカを保持する。ＤＯＳホルダ１３４は、図示しないディスプレイオフセンサーを保持する。
【００１５】
図３は、ＴＦＴモジュール１２２がＴＦＴホルダ１２３に固定されている状態を示す図である。ＴＦＴモジュール１２２は、ＴＦＴホルダ１２３によって側面から図示しないバネにより付勢保持されている。このため、ＴＦＴホルダ１２３が変形すると、ＴＦＴモジュール１２２も一体となって変形するような力を受ける。すなわち、ＴＦＴモジュール１２２が変形することで、ＴＦＴ表示パネル１４０及び図示しない拡散パネルが変形し、ＴＦＴ表示パネル１４０の表示面に色むらが発生してしまう。
【００１６】
次に、ＴＦＴホルダ１２３の詳細について説明する。図４は、ＴＦＴホルダ１２３を前方から見た斜視図である。ＴＦＴホルダ１２３は、板状の金属からなり、プレス加工により成形される。ＴＦＴホルダ１２３には、ＴＦＴモジュール１２２を保持する保持本体部としてのホルダ本体部１２４と、バックカバー１２１に固定するための複数の締結部１２５〜１２８とが一体で形成されている。
【００１７】
締結部１２５は、矩形状のホルダ本体部１２４の右上端から右側に向かって延設されている。締結部１２５は、ＴＦＴホルダ１２３とスイッチホルダ１３０とを電気的に接続する。また、締結部１２５の締結孔１２５ａに固定ビスを挿通させて、ＴＦＴホルダ１２３とスイッチホルダ１３０とをバックカバー１２１に共締めすることができる。ここで、スイッチホルダ１３０も、ＴＦＴホルダ１２３と同じように板状の金属からなる部材である。すなわち、ＴＦＴホルダ１２３とスイッチホルダ１３０とを電気的に接続することで、金属部材同士を接続させた大きなグラウンドにし、輻射ノイズを低減しシールドする輻射ノイズ対策の効果がある。
一方、ＴＦＴホルダ１２３とバックカバー１２１との間にスイッチホルダ１３０が挟まれる態様であるために、スイッチホルダ１３０の厚み公差の分だけ、締結部１２５の取り付け高さ（図４に示す前後方向）のバラツキが生じてしまう。
【００１８】
締結部１２６は、ホルダ本体部１２４の左上端から左側に向かって延設されている。締結部１２６は、ＴＦＴホルダ１２３とＤＯＳホルダ１３４とを電気的に接続する。また、締結部１２６の締結孔１２６ａに固定ビスを挿通させて、ＴＦＴホルダ１２３とＤＯＳホルダ１３４とをバックカバー１２１に共締めすることができる。
また、ＤＯＳホルダ１３４とバックカバー１２１の間にＴＦＴホルダ１２３が挟まれる態様である。すなわち、ＴＦＴホルダ１２３とバックカバー１２１との間には何も存在していないので、締結部１２６では、締結部１２５よりもＴＦＴホルダ１２３の取り付け高さのバラツキは生じない。
【００１９】
締結部１２７は、ホルダ本体部１２４の左下側から左側に向かって延設されている。また、締結部１２７の半円状の締結孔１２７ａに固定ビスを挿通させて、ＴＦＴホルダ１２３をバックカバー１２１に固定することができる。なお。締結部１２７では、ＴＦＴホルダ１２３のみをバックカバー１２１に固定し、共締めをしていない。
【００２０】
締結部１２８は、ホルダ本体部１２４の右下側から右側に向かって延設されている。締結部１２８は、ＴＦＴホルダ１２３とスイッチホルダ１３０とを電気的に接続する。また、締結部１２８の締結孔１２８ａに固定ビスを挿通させて、ＴＦＴホルダ１２３とスイッチホルダ１３０とをバックカバー１２１に共締めすることができる。
締結部１２８では、締結部１２５と同様に、ＴＦＴホルダ１２３とバックカバー１２１との間にスイッチホルダ１３０が挟まれている。したがって、スイッチホルダ１３０の厚み公差の分だけ、締結部１２８の取り付け高さにバラツキが生じる。
【００２１】
ここで、ＴＦＴホルダ１２３をバックカバー１２１に固定ビスを用いて固定すると、締結部１２５〜１２８の４箇所におけるＴＦＴホルダ１２３の取り付け高さのズレ量に応じて、ＴＦＴホルダ１２３に変形が生じる。この変形は上述した要因によって、ＴＦＴ表示パネル１４０の表示面に色むらを発生させる。
そこで、本実施形態では、締結部１２８とホルダ本体部１２４との間に、各締結部の取り付け高さのズレ量によるＴＦＴホルダ１２３の変形を吸収する変位吸収部１２９が一体で形成されている。変位吸収部１２９は、ホルダ本体部１２４と締結部１２８との間を低剛性で接続している。したがって、ホルダ本体部１２４と締結部１２８との間は、変位吸収部１２９によって撓み可能である。
【００２２】
図５は、変位吸収部の形状を示す拡大図である。図５（ａ）は、本実施形態に係る変位吸収部１２９の形状を示す図である。図５（ｂ）および図５（ｃ）は、他の実施形態に係る変位吸収部の形状を示す図である。
図５（ａ）に示す変位吸収部１２９は、ホルダ本体部１２４に２つの切り込みを入れることでホルダ本体部１２４内に形成されている。変位吸収部１２９は、その板幅Ｍが、締結部１２８の外形Ｌ１よりも小さく、さらに締結孔１２８の内径Ｌ２よりも小さい。なお、変位吸収部１２９が形成される部位は、ホルダ本体部１２４内に限られず、ホルダ本体部１２４から外側に突出させた形状であってもよい。
【００２３】
また、図５（ｂ）に示す変位吸収部１５０は、ホルダ本体部１５１から締結部１５２に向かうにしたがって、板幅Ｍが細くなるように形成されている。具体的には、変位吸収部１５０の板幅Ｍは、ホルダ本体部１５１近傍では締結部１５２の締結孔１５２ａの内径Ｌ２と略同じであり、締結部１５２の近傍では締結孔１５２ａの内径Ｌ２よりも小さく形成されている。
また、図５（ｃ）に示す変位吸収部１６０は、ホルダ本体部１６１から締結部１６２に向かう途中で、折れ曲がって形成されている。
このように、変位吸収部は、ＴＦＴホルダ１２３の変形を吸収することができる形状であれば、特定の形状に限定されない。
【００２４】
変位吸収部１２９は、締結部１２８と締結部１２５との高さ方向の公差ばらつきに起因するホルダ本体部１２４の変形および締結部１２８と締結部１２７との高さ方向の公差ばらつきに起因するホルダ本体部１２４の変形を、撓むことで吸収することができる。したがって、変位吸収部１２９は、ＴＦＴホルダ１２３のＴＦＴモジュール１２２を固定しているホルダ本体部１２４の変形を抑制することができる。
【００２５】
また、変位吸収部１２９は、使用者がバックカバーユニット１００の操作スイッチを押下したときに生じる外力によるＴＦＴホルダ１２３の変形を吸収することもできる。すなわち、操作スイッチが押下されることで、スイッチホルダ１３０が前方に変形するような外力が生じる。このとき、スイッチホルダ１３０と共締めされているＴＦＴホルダ１２３の締結部１２８も移動する。したがって、締結部１２８と締結部１２５との位置が逆方向に強制変位したり、締結部１２８と締結部１２７との位置が逆方向に強制変位したりするものの、変位吸収部１２９が撓みことで、これらの変位を吸収することができる。
【００２６】
また、変位吸収部１２９は、締結部１２５〜１２８のうち、スイッチホルダ１３０と接続されていて、ＴＦＴホルダ１２３の引出し部位１２４ａに近接している締結部１２８に形成されている。したがって、変位吸収部１２９は、低剛性であるＴＦＴモジュール１２２の引出し部の変形をより少なく抑えることができる。
このように、変位吸収部１２９は、ＴＦＴホルダ１２３とスイッチホルダ１３０を電気的に接続しつつも、ＴＦＴ表示パネル１４０の表示面の色むらの発生を抑制することができる。
【００２７】
なお、本実施形態では、締結部１２８に変位吸収部１２９を形成する場合について説明したが、この場合に限られない。変位吸収部１２９は、ＴＦＴホルダ１２３の引出し部位１２４ａを挟む締結部１２７および締結部１２８のうち、何れか一方に形成されていれば低剛性であるＴＦＴモジュール１２２の引出し部の変形を抑える効果が期待できるが、両方に形成されていてもよい。また、何れか一方の締結部に変位吸収部を形成する場合、共締め部材を伴う締結部または共締め部材が多く伴う締結部に変位吸収部を形成することで、部品の公差ばらつきを吸収できるため、ＴＦＴ表示パネル１４０の表示面の色むら抑制の効果が優れている。
【００２８】
一方、変位吸収部１２９は荷重に対して変形を受けやすい。したがって、本実施形態では、ＴＦＴホルダ１２３に隣接する部材であるスイッチホルダ１３０に変形防止部が配設されている。図６はスイッチホルダを前方から見た斜視図である。
スイッチホルダ１３０には、平面部１３１と補強部１３２とが形成されている。平面部１３１は、操作スイッチが操作されたときの荷重を受ける。補強部１３２は、変形防止部であって、平面部１３１の左下端からＴＦＴホルダ１２３側に向かうように突出している。また、スイッチホルダ１３０をバックカバー１２１に固定している状態でＴＦＴホルダ１２３の板面に対して直交する方向（前後方向）から見ると、補強部１３２はＴＦＴホルダ１２３に重なるように形成されている（図２（ｂ）を参照）。また、通常の使用時では、補強部１３２とＴＦＴホルダ１２３とは前後方向で離間している。すなわち、補強部１３２とＴＦＴホルダ１２３とは所定の隙間を有している。
【００２９】
カメラ１が落下等によって衝撃を受けると、ＴＦＴモジュール１２２から受ける衝撃荷重によってＴＦＴホルダ１２３も移動しようとする。このとき、変位吸収部１２９は撓み可能であるためにＴＦＴホルダ１２３は容易に移動してしまうが、ＴＦＴホルダ１２３が補強部１３２と当接することでＴＦＴホルダ１２３の所定以上の移動または変形を防止することができる。なお、ＴＦＴホルダ１２３と補強部１３２との間に隙間を有しているのは、公差ばらつきによってＴＦＴホルダ１２３とスイッチホルダ１３０とが接触してしまい、変位吸収部１２９によるＴＦＴホルダ１２３の変形の吸収を阻害させないようにするためである。
【００３０】
このように、本実施形態では、ＴＦＴホルダに形成された複数の締結部のうち、少なくとも１つの締結部に変位吸収部を形成したことで、少ない部品構成で表示パネルの変形を抑制させて、表示パネルの表示面に色むらが発生することを防止することができる。
以上、本発明を好適な実施形態に基づいて詳述したが、本発明はこれら特定の実施形態に限られるものではなく、この発明の要旨を逸脱しない範囲の様々な形態も本発明に含まれる。
【００３１】
例えば、本実施形態では、ＴＦＴホルダに４つの締結部を形成し、一つの締結部に変位吸収部を形成する場合について説明したが、この場合に限られない。複数の締結部のうち、少なくとも一つの変位吸収部が形成されていればよい。
また、本実施形態では、カメラを取り上げて説明したが、この場合に限られず、表示パネルを備えた電子機器であればどのようなものであっても適用することができる。
【符号の説明】
【００３２】
１：カメラ  １００：バックカバーユニット  １２１：バックカバー（外装ケース）  １２２：ＴＦＴモジュール  １２３：ＴＦＴホルダ（保持部材）  １２４：ホルダ本体部（保持本体部）  １２５〜１２８：締結部  １２５ａ〜１２８ａ：締結孔  １２９：変位吸収部  １３０：スイッチホルダ（スイッチ保持部材）  １３２：補強部  １４０：ＴＦＴパネル（表示パネル）
【図１】
0005489757.tif 000002
【図２】
0005489757.tif 000003
【図３】
0005489757.tif 000004
【図４】
0005489757.tif 000005
【図５】
0005489757.tif 000006
【図６】
0005489757.tif 000007